(57)【特許請求の範囲】
【請求項１】
樹脂フィルム製のベーステープと、
前記ベーステープの一方の面に、幅方向に複数列に敷き詰められた状態に一方の面が接着された複数のブロックよりなる外装材と、
前記ブロックの他方の面に設けられた粘着層と、を備え、
前記外装材は、前記粘着層が電線群に粘着され多角螺旋状にオーバーラップ巻きされることを特徴とする電線群保護テープ。
【請求項２】
前記複数のブロックは、前記電線群に多角状にオーバーラップ巻きされるときに、前記ベーステープの長さ方向の側面同士が干渉しないよう前記ベーステープの長さ方向の側面が所要角度の傾斜面となっていることを特徴とする請求項１に記載の電線群保護テープ。
【請求項３】
前記複数のブロックは、前記ベーステープに接着される側の表層部が、前記電線群にオーバーラップ巻きされるときに千切れる薄肉部で一体に繋がっていることを特徴とする請求項１または２に記載の電線群保護テープ。
【請求項４】
請求項１ないし３のいずれか１項の電線群保護テープで電線群がオーバーラップ巻きされたことを特徴とするワイヤハーネス。
【発明の詳細な説明】
【技術分野】
【０００１】
本発明は、プロテクタと同等の耐突き刺し性を有し電線群に直接螺巻されて電線群を保護する電線群保護テープおよびワイヤハーネスに関する。
【背景技術】
【０００２】
従来、この種の電線群保護テープとして、特許文献１、特許文献２に記載されるものが既に知られている。
【０００３】
特許文献１に開示されたワイヤハーネス結束用テープ材は、幅方向の一側に凹凸部を形成するとともに、他の一側に平坦部を設け、上記平坦部を重ね代として螺旋状に電線群Ｗの外周に巻きつけ、ハーフラップ巻きして結束する（段落００２６、００２８、図３等）ものである。
【０００４】
特許文献２に開示されたワイヤハーネス結束用テープは、山形状に膨出させた突条部を幅方向の中央領域に設け、被覆電線を束ねた電線群の外周に螺旋状に巻きつけ、突条部を密に周方向に介在させてワイヤハーネスを結束する（段落００２０、００２３、００２４、図２参照）ものである。
【先行技術文献】
【特許文献】
【０００５】
【特許文献１】特開２００８−１２７０２２号公報
【特許文献２】特開２０１０−１２６６４８号公報
【発明の概要】
【発明が解決しようとする課題】
【０００６】
しかしながら、特許文献１に開示されたワイヤハーネス結束用テープ材にあっては、通常のテープ同様に紙巻に巻き付けする状態にした際に、上下のテープ層が内部に形成された空間により厚みが出てきてしまうことでハーネスへ巻き付ける際の作業性が悪化し、ハーフラップ巻きに行う場合に正確な幅を保つことが困難であるという問題があった。
【０００７】
また、特許文献２に開示されたワイヤハーネス結束用テープ材にあっては、先巻きしたテープの突条部の根元に後巻きするテープの幅方向端縁を添わせる（段落００２７参照）ことができるが、正確なオーバーラップ幅を保つには限界があった。また、ワイヤハーネス結束用テープ材は、テープ材と粘着剤からなる構造のため、耐突き刺し性が劣るという問題があった。
【０００８】
本発明は、上述のような課題を解決するためになされたもので、オーバーラップ幅を正確に保ってオーバーラップ巻きができるとともに、耐突き刺し性を有する電線群保護テープおよびワイヤハーネスを提供することを目的とする。
【課題を解決するための手段】
【０００９】
本発明に係る電線群保護テープは、上記目的達成のため、樹脂フィルム製のベーステープと、前記ベーステープの一方の面に、幅方向に複数列に敷き詰められた状態に一方の面が接着された複数のブロックよりなる外装材と、前記ブロックの他方の面に設けられた粘着層と、を備え、前記外装材は、前記粘着層が電線群に粘着され多角螺旋状にオーバーラップ巻きされる構成である。
【００１０】
この構成により、本発明に係る電線群保護テープによれば、複数のブロックよりなる外装材を粘着層を介して電線群に、例えばハーフラップ巻きまたは三分の一オーバーラップ巻きとすることで、電線群の外周面に外装材を多角螺旋状に多角螺旋状に巻き付けることができ、高い耐突き刺し性を有して電線群を保護することができる。
【００１１】
また、本発明に係る電線群保護テープによれば、被覆電線への螺巻に際し、外装材を構成するブロックの列幅単位で前後のオーバーラップ幅を調整でき、オーバーラップ幅を正確に保ってオーバーラップ巻きが行える。また、オーバーラップ部は非オーバーラップ部に比べ、厚さが２倍となり、ねじ山状の螺旋状に隆起して車両への配索時に電線群を当接物体から遠ざける機能を有する。
【００１２】
また、本発明に係る電線群保護テープは、前記複数のブロックは、前記電線群に多角状にオーバーラップ巻きされるときに、前記ベーステープの長さ方向の側面同士が干渉しないよう前記ベーステープの長さ方向の側面が所要角度の傾斜面となっている構成としてもよい。
【００１３】
この構成により、本発明に係る電線群保護テープは、電線群に多角状にオーバーラップ巻きされるときに各ブロックのベーステープの長さ方向の側面同士が干渉することがなく、電線群に対するオーバーラップ巻きの作業を円滑に行うことができる。
【００１４】
また、本発明に係る電線群保護テープは、前記複数のブロックは、前記ベーステープに接着される側の表層部が、前記電線群にオーバーラップ巻きされるときに千切れる薄肉部で一体に繋がっている構成としてもよい。
【００１５】
この構成により、本発明に係る電線群保護テープは、外装材を構成するブロックの切れ目で電線群保護テープを容易に切断でき、オーバーラップ巻き作業の作業性が向上する。
【００１６】
また、本発明に係る電線群保護テープによれば、ハーフラップ巻きまたは三分の一オーバーラップ巻きの実行時、先に巻かれている外装材の一端の列のブロックに対して後で巻かれる外装材の他端の列のブロックが重ね巻きされた際に、他端の列のブロックとそれに隣接する列のブロックとの間の薄肉部が千切れることを促進して両者の間に段差を生じさせることができ、その後、上記段差を利用して正確なオーバーラップ幅を保ったオーバーラップ巻きを行うことができる。
【００１７】
また、本発明に係るワイヤハーネスは、上記目的達成のため、上記のいずれか１つの電線群保護テープで電線群がオーバーラップ巻きされた構成である。
【００１８】
この構成により、本発明のワイヤハーネスは、複数列の正列状に敷き詰められた状態に一方の面が接着された複数のブロックよりなる外装材を有する電線群保護テープで、多角状にかつハーフラップ巻きまたは三分の一オーバーラップ巻きされた外装構造を有することとなり、隙間なく貼り付けられた外装材により高い耐突き刺し性を確保できる。
【発明の効果】
【００１９】
本発明によれば、オーバーラップ幅を正確に保ってオーバーラップ巻きができるとともに、耐突き刺し性を有する電線群保護テープおよびワイヤハーネスを提供することができる。
【図面の簡単な説明】
【００２０】
【図１】本発明の第１の実施の形態に係る電線群保護テープの構成を模式的に示す斜視図である。
【図２】本発明の第１の実施の形態に係る電線群保護テープの巻付体における巻き付け態様を模式的に示す斜視図である。
【図３】本発明の第１の実施の形態に係る電線群保護テープの電線群に対する螺巻構造を模式的に示す図である。
【図４】図３における電線群保護テープの螺巻構造の左側面の構成を模式的に示す図である。
【図５】図４における螺巻構造のＢ−Ｂ線による断面図である。
【図６】（ａ）は、本発明の第２の実施の形態に係る電線群保護テープの構成を模式的に示す図であり、（ｂ）は、（ａ）の底面の構成を示す図である。
【図７】本発明の第２の実施の形態に係る電線群保護テープの螺巻構造を模式的に示す断面図である。
【発明を実施するための形態】
【００２１】
次に、本発明に係る一実施の形態について図面を参照して説明する。
【００２２】
（第１の実施の形態）
【００２３】
まず、図１および図２を参照して電線群保護テープおよびワイヤハーネスを説明する。
図１に示すように、本実施の形態に係る電線群保護テープ１は、ベーステープ１１と、一方の面がベーステープ１１の接着された複数のブロック１２１よりなる外装材１２と、上記各ブロック１２１の他方の面に設けられた粘着層１３と、を備える。
【００２４】
外装材１２を構成する個々のブロック１２１は、いずれも同一の立体形状を有する。図１においては、ブロック１２１は、断面台形の立方体の形状を有し、ベーステープ１１との接着面および粘着層１３との接着面が互いに矩形平面となっている。
【００２５】
各ブロック１２１は、ベーステープ１１と接する矩形平面のテープ幅方向の一辺同士が互いに易引き千切れ性を有する薄肉部で繋がっているとともに、該矩形平面のテープ長さ方向の一辺同士が互いに易引き千切れ性を有する薄肉部で繋がっている。このように、各ブロック１２１が繋がっていることにより、ベーステープ１１への配列、接着が容易かつ精度良く行えて、電線群保護テープ１の製造を容易にする。
【００２６】
各ブロック１２１は、ベーステープ１１の長さ方向に互いに隣り合う側面同士が、ベーステープ１１に近い側で密着または近接しかつ粘着層１３側へ離れるに連れて離間する所要角度の傾斜面となっていて、テープ側方より視たとき、側面同士間に楔状の隙間を有している。このように、各ブロック１２１は、テープ側方より視たとき、台形状であり、電線群保護テープ１を後述するように電線群Ｗｇに多角状にオーバーラップ巻きするときに（図３参照）、外装材１２を構成する各ブロック１２１の長さ方向の側面同士が干渉しないようすることが可能となっている。
【００２７】
ベーステープ１１の幅方向に並ぶ２つのブロック１２１は、スリット１２５によって切り離れていて、ベーステープ１１に接着される表層部が易引き千切れ性を有する薄肉部で繋がっている。スリット１２５は、第１のブロック列１２１ａと第２のブロック列１２１ｂとに分割する境界を規定している。
【００２８】
このように、電線群保護テープ１は、ベーステープ１１と、ベーステープ１１の一方の面に、幅方向に、第１のグループ列１２１ａおよび第２のグループ列１２１ｂという２列の正列状に敷き詰められた状態に一方の面が接着された複数のブロック１２１よりなる外装材１２と、各ブロック１２１の他方の面に設けられた粘着層１３と、を備えて構成される。
【００２９】
電線群保護テープ１は、ベーステープ１１のテープ幅を例えば１９〜３０ｍｍとされる。ベーステープ１１は、例えば塩化ビニル（ＰＶＣ）等の樹脂フィルムよりなり、耐引き裂き性および屈曲性を有するように厚さを例えば０．０５〜０．１ｍｍとされ、好ましくは０．０７ｍｍとされる。外装材１２は、例えばポリプロピレン（Ｐ．Ｐ）、ポリエチレン（Ｐ．Ｅ）、あるいはポリアミド（Ｐ．Ａ）等の合成樹脂により上述したブロック状に成形され、耐突き刺し性を有するように厚さを例えば、０．２〜１．０ｍｍとされ、１つのブロックのベーステープ１１に密着した表層部におけるテープ長さ方向の寸法は、電線群を一周する長さの６等分〜８等分とするのが好ましい。
【００３０】
図２に示すように、電線群保護テープ１は、製品（テープ材）１０としては、例えば円筒形の紙管２０に巻き付けた巻付体で提供される。電線群保護テープ１は、巻付体では、紙管２０の回転に応じて矢印Ａ方向に巻き取られ、紙管２０に多重に巻かれている。
【００３１】
電線群保護テープ１は、電線群の保護に用いる場合には、紙管２０から巻き解いて用いられる。巻き解かれた電線群保護テープ１は、後述するように（図３参照）、複数のブロック１２１よりなる外装材１２を粘着層１３を介して電線群に多角状にかつハーフラップ巻きされる。
【００３２】
次に、電線群保護テープ１の使い方および作用について、図３〜図５を参照して説明する。
【００３３】
図３に示す螺巻構造とするための電線群保護テープ１のオーバーラップ巻き作業手順として、作業者は、まず、図２には示す巻付体（テープ材）である製品１０を手に持ち、紙管２０から巻き付けられている電線群保護テープ１の先端部を必要量巻き解く。次いで、巻き解き端の粘着層１３のある面を電線群Ｗｇの前述したテープ長要保護領域の始端位置Ｓｔに当たる外周部に接着させ、そこから電線群Ｗｇに対する巻き付けを開始する。
【００３４】
なお、本実施の形態では、電線群Ｗｇの要保護領域は、例えば軸方向長さを例えば１００〜５００ｍｍとされる。電線群Ｗｇは、自動車に搭載される種々の電気回路、電気系統等の間を電気的に接続する複数本の被覆電線である。
【００３５】
電線群Ｗｇに対する電線群保護テープ１の巻き付け作業においては、螺旋巻きにするために電線群Ｗｇの長さ方向に対して斜めの角度で巻き付け開始するとともに、巻き終えたテープの幅方向の一端部（幅半分の領域）に次に巻き付けようとするテープの幅方向の他端部（幅半分の領域）が重なるようにハーフラップ巻きで行う。本実施の形態においては、電線群保護テープ１のハーフラップ巻きにおけるオーバーラップ幅は、テープ幅の半分の幅となる。
【００３６】
ハーフラップ巻きの作業は、例えば、ＰＶＣテープを巻き付けるときと同様に、紙管２０を逐次手で持ち替えながら、該紙管２０を、電線群Ｗｇを中心にして繰り返し周回させることにより行うことができる。このオーバーラップ巻き作業を、図３の矢印Ｙ方向にハーフラップ巻きが進行するように電線群Ｗｇのテープ長要保護領域の終端位置Ｅまで繰り返し実施する。
【００３７】
前述したように（図１、図２参照）、電線群保護テープ１は、外装材１２を構成する、底面および上面が平坦な断面台形の立方体からなる複数のブロック１２１をベーステープ１１上に底面部が接着されるようにテープの長さ方向に２列に配列したものである。これにより、電線群保護テープ１を、ベーステープ１１が表層側にくるように接着層１３を介して電線群Ｗｇにハーフラップ巻きした場合の図３の螺巻構造は、左側面から視た場合には図４に示す構造となる。
【００３８】
図４に示す側面構造において、電線群Ｗｇの外周面から一層目の部分は、要保護領域の始端位置Ｓｔから螺巻が開始された電線群保護テープ１が外装材１２の第１，第２ブロック列１２１ａ，１２１ｂとも電線群表面に接するように巻き付けられている側面構造を現している。また、電線群Ｗｇの外周面の上記一層目に繋がる二層目の部分は、先に巻かれた外装材１２の第２のブロック列１２１ｂの上に後で巻かれた外装材１２の第１のブロック列１２１ａがハーフラップ巻きされている側面構造を現している。
【００３９】
上記一層目および二層目のいずれにおいても、電線群保護テープ１は、外装材１２を構成する各ロック１２１が、断面台形の立方体の上面（矩形平面部分）を内周側とし、底面（矩形平面部分）を外周側として電線群に巻き付けられている。これにより、電線群ＷＧに電線群保護テープ１を螺巻した際の側面の構造は、その外周部が、上記各ブロック１２１のテープの長さ方向の長さを一辺とする多角形の形状を描いている。
【００４０】
図４に示す側面構造によれば、電線群Ｗｇの周面に巻かれている複数のブロック１２１の外周側では、各ブロック１２１が上記立方体の底面部端部を互いに接するように隙間なく繋がっている。また、上記複数のブロック１２１の内周側では、各ブロック１２１の電線群保護テープ１の長さ方向の斜面部が互いに密着する状態に繋がっている。加えて、電線群Ｗｇの軸方向には、図４にはその一部構造しか現れていないが、外装材１２を構成する複数のブロック１２１の先巻きされた例えば第２のブロック列１２１ｂに対する後巻きされた第１のブロック列１２１ａのハーフラップ巻き構造が図４の紙面の表面から裏面の方向に連なっている。
【００４１】
この構造によれば、電線群Ｗｇの周面に、多角状にかつ周方向および軸方向ともに隙間なく外装材１２が張り付けられた外装構造を有するため、他の部品のエッジやばり等が侵入する余地はなく、耐突き刺し性を向上させることができる。
【００４２】
次に、電線群保護テープ１のハーフラップ構造について図５を参照して説明する。
図５は、図４における螺巻構造のＢ−Ｂ線による断面図である。図５において、Ｓ１、Ｓ２、Ｓ３、Ｓ４、Ｓ５、Ｓ６は、電線群Ｗｇに対してハーフラップ巻きされる電線群保護テープ１の各断面位置でのテープ領域を示している。
【００４３】
電線群保護テープ１のハープラップ巻きは、図５の領域Ｓ１に対応する位置の近傍（要保護領域の始端位置Ｓｔ）から開始され、電線群保護テープ１が巻かれている紙管２０（図２参照）を電線群Ｗｇ中心に同図の左側面から見て反時計回り方向に周回させながら行う。つまり、電線群保護テープ１の電線群Ｗｇに対するハーフラップ巻きは、Ｓ１、Ｓ２、Ｓ３、Ｓ４、Ｓ５、Ｓ６に対応する位置を順次経由して行われる。
【００４４】
図５において、電線群保護テープ１をＳ１に対応する位置を通りＳ２に対応する位置を通り過ぎるまで略半周分螺巻したタイミングにおいては、電線群Ｗｇの上端部と下端部との間で電線群保護テープ１がテープ幅４分の１分だけ螺旋巻きが進んでいる。この螺巻領域においては、Ｓ１、Ｓ２に示すように、上下端双方において、外装材１２を構成する第１，第２のブロック列１２１ａ，１２１ｂとも、電線群Ｗｇの外周面に直接巻かれている。
【００４５】
Ｓ２に対応する位置を通った後、Ｓ３に対応する位置を通りＳ４に対応する位置を越えるまで電線群保護テープ１を追加一周分螺巻するまでの作業においては、電線群保護テープ１をＳ３に対応する位置まで追加半周分螺巻したタイミング以降、Ｓ３に示されるように、電線群Ｗｇの上端部において先に巻かれている電線群保護テープ１の外装材１２の第２のブロック列１２１ｂの上にその後に巻かれる電線群保護テープ１の外装材１２の第１のブロック列１２１ａがハーフラップで巻かれるハーフラップ巻きが開始される。
【００４６】
このハーフラップ巻きは、電線群保護テープ１をＳ４に対する位置までさらに半周分螺巻する間も続く。これにより、Ｓ４に対応する位置である電線群Ｗｇの下端部では、Ｓ３に対応する位置から４分の１ラップ螺巻が進んだ状態で、先に巻かれている電線群保護テープ１の外装材１２の第２のブロック列１２１ｂの上にその後に巻かれる電線群保護テープ１の外装材１２の第１のブロック列１２１ａがハーフラップ巻きされる。
【００４７】
上述した、Ｓ３に対応する位置からＳ４に対応する位置を越えるまでのハープラップ巻きの区間においては、Ｓ３およびＳ４に明示されるように、先に巻かれている電線群保護テープ１の外装材１２の第２のブロック列１２１ｂの上に後巻きの電線群保護テープ１の外装材１２の第１のブロック列１２１ａがハーフラップ巻きされる際に、後巻きの電線群保護テープ１の外装材１２の第１のブロック列１２１ａとスリット１２５を介して隣接する第２のブロック列１２１ｂが、薄肉部が千切れることで、第１のブロック列１２１ａから切り離され、第１のブロック列１２１ａに対して一段低い位置で粘着層１３により電線群Ｗｇの外周面に接着される。
【００４８】
その後、Ｓ５、Ｓ６に対応する位置以降のオーバーラップ巻き作業においても、Ｓ３に対応する位置からＳ４に対応する位置までの区間と同様のハーフラップ巻きが行われる。これにより、ハーフラップ巻きが行われる毎に、後巻きの電線群保護テープ１の外装材１２の第１のブロック列１２１ａとスリット１２５を介して隣接する第２のブロック列１２１ｂが、両者間の薄肉部が千切れることで、第１のブロック列１２１ａから切り離され、第１のブロック列１２１ａに対して一段低い位置で粘着層１３により電線群Ｗｇの外周面に接着される。
【００４９】
これにより、本実施の形態によれば、電線群保護テープ１のハーフラップ巻きの実行中、直前に巻かれている電線群保護テープ１の第２のブロック列１２１ｂにオーバーラップしている後巻きの電線群保護テープ１の第１のブロック列１２１ａと、そこから千切れた第２のブロック列１２１ｂの段差を利用し、オーバーラップ幅をテープ幅の半分に正確に保ったハープラップ巻きを行うことができる。
【００５０】
上述したように、本実施の形態に係る電線群保護テープ１は、ベーステープ１１の一方の面に幅方向に２列に敷き詰められた複数のブロック１２１よりなる外装材１２を接着し、各ブロック１２１の他方の面に粘着層１３を設けた構成としたため、電線群Ｗｇに対して複数のブロック１２１よりなる外装材１２を粘着層１３により多角状にかつハーフラップ巻きするだけで、電線群Ｗｇの外周面に外装材１２を隙間なく張り詰めることができ、耐突き刺し性を向上させることができる。
【００５１】
また、本実施の形態では、電線群保護テープ１の電線群Ｗｇに対する螺巻に際し、ベーステープ１１に２列に敷き詰めた複数のブロック１２１よりなる外装材１２をベーステープ１１を媒体として電線群Ｗｇに張り付けるため、ＰＶＣテープを巻き付ける作業と同等のテープ巻き作業により電線群の保護を図ることができる。
【００５２】
また、外装材１２を構成する各列のブロック１２１は、ベーステープ１１の長さ方向の側面が所要角度の傾斜面となっているため、電線群Ｗｇに多角状にハーフラップ巻きされるときに、ベーステープ１１の長さ方向の側面同士が干渉せず、オーバーラップ巻き作業を円滑に行うことができる。
【００５３】
また、外装材１２を構成する各ブロック１２１は、互いに他の列の隣接するブロック１２１と薄肉部で一体に繋がっているため、ブロック１２１の切れ目で電線群保護テープ１を容易に切断でき、オーバーラップ巻き作業の作業性が向上する。
【００５４】
しかも、電線群保護テープ１によれば、ハーフラップ巻きの実行時、先に巻かれている外装材１２の一方の列のブロック１２１に対して後で巻かれる外装材１２の他方の列のブロック１２１が重ね巻きされた際、他方の列のブロック１２１とこれに隣接するもう一方の列のブロック１２１との間をつなぐ薄肉部が千切れて両者の間に段差を生じ、これにより、その後のハーフラップ巻きにおいては、上記段差を利用して正確なオーバーラップ幅を保ったハーフラップ巻きを行うことができる。
【００５５】
本実施の形態に係るワイヤハーネス１００（図３〜図５参照）によれば、２列の正列状に敷き詰められた状態に一方の面が接着された複数のブロックよりなる外装材１２を有する電線群保護テープ１で、多角状にかつハーフラップ巻きされた外装構造を有するため、隙間なく貼り付けられた外装材１２により高い耐突き刺し性を有する。
【００５６】
また、本実施の形態に係るワイヤハーネス１００によれば、電線群保護テープ１を媒体としてブロック状の外装材１２を電線群Ｗｇの外周に貼り付けることを前提とするため、保護対象の電線群の径を選ばずに電線群の保護が行えるとともに、部品点数を抑え、コストも低減できる。
【００５７】
しかも、本実施の形態に係るワイヤハーネス１００によれば、電線群保護テープ１を電線群Ｗｇに螺巻する際、先に巻かれている電線群保護テープ１の外装材１２の一の列のブロック１２１に対して後で巻かれる外装材１２の他の列のブロック１２１が、重ね巻き時に薄肉部が千切れることにより生じる段差を利用して正確なオーバーラップ幅でハーフラップ巻きを行うことができ、製造作業が容易になる。
【００５８】
（第２の実施の形態）
【００５９】
図６、図７を参照して第２の実施の形態に係る電線群保護テープおよびワイヤハーネスを説明する。
【００６０】
図６に示すように、本実施の形態に係る電線群保護テープ１Ａは、ベーステープ１１と、ベーステープ１１の一方の面に接着された複数のブロック１２１よりなる外装材１２と、上記各ブロック１２１の他方の面、すなわち、ベーステープ１１が接着された面とは反対の面に設けられた粘着層１３と、を備える。
【００６１】
図６に示すように、複数のブロック１２１は、スリット１２５ａ，１２５ｂにより第１のブロック列１２１ａ、第２のブロック列１２１ｂ、および第３のブロック列１２１ｃに区画される。各ブロック１２１は、ベーステープ１１と接する矩形平面のテープ幅方向の一辺同士が互いに易引き千切れ性を有する薄肉部で繋がっているとともに、該矩形平面のテープ長さ方向の一辺同士が互いに易引き千切れ性を有する薄肉部で繋がっている。複数のブロック１２１を上記３列のブロック列に分ける以外の構成は、第１の実施の形態に係る電線群保護テープ１と同様である。このように、各ブロック１２１が繋がっていることにより、ベーステープ１１への配列、接着が容易かつ精度良く行えて、電線群保護テープ１Ａの製造を容易にする。
【００６２】
電線群保護テープ１Ａの使い方についても第１の実施の形態に係る電線群保護テープ１Ａと同様である。すなわち、電線群保護テープ１Ａは、電線群Ｗｇに対して図３に示す態様と同等の態様で螺巻することにより電線群Ｗｇの保護を図るものである。
【００６３】
図７に示す電線群保護テープ１Ａの電線群Ｗｇに対する螺巻手順は、第１の実施の形態に係る電線群保護テープ１の螺巻手順と同等である（図５参照）。
【００６４】
図７において、電線群保護テープ１Ａの電線群Ｗｇに対する三分の一オーバーラップ巻きは、同図に示すＳ１１、Ｓ１２、Ｓ１３、Ｓ１４、Ｓ１５、Ｓ１６に対応する位置を順次経由して実行される。Ｓ１１、Ｓ１２、Ｓ１３、Ｓ１４、Ｓ１５、Ｓ１６は、電線群Ｗｇに対して三分の一オーバーラップ巻きされる電線群保護テープ１Ａの各断面位置でのテープ領域である。
【００６５】
図７において、電線群保護テープ１ＡをＳ１１に対応する位置を通りＳ１２に対応する位置を通り過ぎるまで略半周分螺巻したタイミングにおいては、電線群Ｗｇの上端部と下端部との間で電線群保護テープ１Ａがテープ幅三分の一分だけ螺旋巻きが進んでいる。この螺巻領域においては、Ｓ１、Ｓ２に示すように、上下端双方において、外装材１２を構成する第１，第２，第３のブロック列１２１ａ，１２１ｂ，１２１ｃとも、電線群Ｗｇの外周面に直接巻かれている。
【００６６】
Ｓ１２に対応する位置を通った後、Ｓ１３に対応する位置を通りＳ１４に対応する位置を越えるまで電線群保護テープ１Ａを追加一周分螺巻するまでの作業においては、電線群保護テープ１ＡをＳ１３に対応する位置まで追加半周分螺巻したタイミング以降、Ｓ１３に示されるように、電線群Ｗｇの上端部において先に巻かれている電線群保護テープ１の外装材１２の第３のブロック列１２１ｃの上にその後に巻かれる電線群保護テープ１Ａの外装材１２の第１のブロック列１２１ａを三分の一オーバーラップさせる三分の一オーバーラップ巻きが開始される。
【００６７】
この三分の一オーバーラップ巻きは、電線群保護テープ１ＡをＳ１４に対する位置までさらに半周分螺巻する間も続く。これにより、Ｓ１４に対応する位置である電線群Ｗｇの下端部では、Ｓ１３に対応する位置からテープ幅の三分の一分だけ螺巻が進んだ状態で、先に巻かれている電線群保護テープ１Ａの外装材１２の第３のブロック列１２１ｃの上にその後に巻かれる電線群保護テープ１Ａの外装材１２の第１のブロック列１２１ａが三分の一オーバー巻きされる。
【００６８】
上述した、Ｓ１３に対応する位置からＳ１４に対応する位置を越えるまでの三分の一オーバーラップ巻きの区間においては、Ｓ１３およびＳ１４に明示されるように、先に巻かれている電線群保護テープ１Ａの外装材１２の第３のブロック列１２１ｃの上に後巻きの電線群保護テープ１Ａの外装材１２の第１のブロック列１２１ａが三分の一オーバーラップ巻きされる際に、後巻きの電線群保護テープ１Ａの外装材１２の第１のブロック列１２１ａとスリット１２５ａを介して隣接する第２のブロック列１２１ｂが、薄肉部が千切れることで、第１のブロック列１２１ａから切り離され、第１のブロック列１２１ａに対して第２のブロック列１２１ｂおよび第３のブロック列１２１ｃが一段低い位置で粘着層１３により電線群Ｗｇの外周面に接着される。
【００６９】
その後、Ｓ１５、Ｓ１６に対応する位置以降のオーバーラップ巻き作業においても、上記同様の三分の一オーバーラップ巻きが行われる。これにより、本実施の形態においては、三分の一オーバーラップ巻きが行われる毎に、後巻きの電線群保護テープ１Ａの外装材１２の第１のブロック列１２１ａとスリット１２５ａを介して隣接する第２のブロック列１２１ｂが、薄肉部が千切れることで第１のブロック列１２１ａから切り離され、第１のブロック列１２１ａに対して第２のブロック列１２１ｂおよび第３のブロック列１２１ｃが一段低い位置で粘着層１３により電線群Ｗｇの外周面に接着される。
【００７０】
したがって、本実施の形態においても、電線群保護テープ１Ａの三分の一オーバーラップ巻きの実行中、直前に巻かれている電線群保護テープ１Ａの第３のブロック列１２１ｃにオーバーラップしている後巻きの電線群保護テープ１Ａの第１のブロック列１２１ａと、そこから千切れた第２のブロック列１２１ｂの段差を利用し、オーバーラップ幅をテープ幅の三分の一に正確に保ったオーバーラップ巻きを行うことができる。
【００７１】
以上説明したように、図７に示す本の実施の形態に係る電線群保護テープ１Ａは、第１，第２，第３のグループ列１２１ａ，１２１ｂ，１２１ｃという３列の状態に一方の面が接着された複数のブロック１２１よりなる外装材１２を粘着層１３を介して電線群Ｗｇに多角状に三分の一オーバーラップ巻きされることで電線群Ｗｇを保護するものである。
【００７２】
本実施の形態に係るワイヤハーネス１００Ａ（図７参照）によれば、３列の正列状に敷き詰められた状態に一方の面が接着された複数のブロックよりなる外装材１２を有する電線群保護テープ１Ａで、多角状にかつ三分の一オーバーラップ巻きされた外装構造を有するため、隙間なく貼り付けられた外装材１２により高い耐突き刺し性を有する。
【００７３】
また、本実施の形態に係るワイヤハーネス１００Ａによれば、電線群保護テープ１Ａを媒体としてブロック状の外装材１２を電線群Ｗｇの外周に貼り付けることを前提とするため、保護対象の電線群の径を選ばずに電線群の保護が行えるとともに、部品点数を抑え、コストも低減できる。
【００７４】
しかも、本実施の形態に係るワイヤハーネス１００Ａによれば、電線群保護テープ１Ａを電線群Ｗｇに螺巻する際、先に巻かれている電線群保護テープ１Ａの外装材１２の一の列のブロック１２１に対して後で巻かれる外装材１２の他の列のブロック１２１が、重ね巻き時に薄肉部が千切れることにより生じる段差を利用して正確なオーバーラップ幅でハーフラップ巻きを行うことができ、製造作業が容易になる。
【００７５】
（その他の実施の形態）
本発明は、上記の実施の形態に限定されるものでなく、特許請求の範囲に記載された本発明の技術的範囲には、発明の要旨を逸脱しない範囲内で種々、設計変更した形態が含まれる。
【００７６】
例えば、第１および第２の実施の形態においては、外装材１２を構成する複数のブロック１２１を２列または３列の列状配列としたが、より多くの列数で配列される構成としても良い。また、第１および第２の実施の形態においては、外装材１２を構成する複数のブロック１２１は、電線群保護テープ１、１Ａの長さ方向に密着している構成を例示したが、上記各ブロック１２１が上記長さ方向に離間した構成としても良い。また、上記ブロック１２１の形状やサイズについても、例えば、保護対象の電線群の径等に応じて適宜変更しても良い。かかる構成によれば、多様な電線群の種別に合わせてより多種類のオーバーラップ幅で外装材をオーバーラップ巻きすることができ、汎用性が向上する。
【００７７】
また、第２の実施の形態に係る電線群保護テープ１Ａは、３分の２オーバーラップ巻きとなるように電線群Ｗｇに螺巻することができる。これにより、多様な電線群の種別に合わせてこれら電線群を保護したワイヤハーネスの作成が可能となる。
【００７８】
以上説明したように、本発明に係る電線群保護テープ及びワイヤハーネスは、オーバーオーバーラップ幅を正確に保ってオーバーラップ巻きができるとともに、耐突き刺し性を有するという効果を有し、プロテクタと同等の耐突き刺し性を有し電線群に直接螺巻されて電線群を保護する電線群保護テープおよびワイヤハーネス全般に有用である。
【符号の説明】
【００７９】
１、１Ａ  電線群保護テープ
１０  製品（テープ材）
１１  ベーステープ
１２  外装材
１２１  ブロック
１２１ａ  第１のブロック列
１２１ｂ  第２のブロック列
１２１ｃ  第３のブロック列
１２５、１２５ａ、１２５ｂ  スリット
１３  粘着層
１００、１００Ａ  ワイヤハーネス
Ｗｇ  電線群
Ｓ１〜Ｓ６，Ｓ１１〜Ｓ１６  テープ領域
【図１】
0006344231.tif 000002
【図２】
0006344231.tif 000003
【図３】
0006344231.tif 000004
【図４】
0006344231.tif 000005
【図５】
0006344231.tif 000006
【図６】
0006344231.tif 000007
【図７】
0006344231.tif 000008